(57)【要約】      （修正有）【課題】ワイアレス装置のための対話型スクリーンを処理する方法を提供する。【解決手段】方法は、ワイアレス装置から、コンテンツについてのダウンロード要求を受信することを含む。方法はさらに、ワイアレス装置が前記コンテンツに関連する対話型スクリーンを持っているかどうかを決定することを含む。方法はさらに、もし前記ワイアレス装置が前記コンテンツに関連する対話型スクリーンを持っているということが決定されたら、前記対話型スクリーンを送信することなく、前記ワイアレス装置に前記コンテンツを送信することを含む。【選択図】図３
2015149736.tif 000002
【特許請求の範囲】
【請求項１】
ワイアレス装置へデータをダウンロードするためにワイアレス・ネットワークを渡って送られた要求を受信すること；及び
ワイアレス装置に対して予定されたデータを送信することに先立って、ワイアレス装置に対して予定された対話型スクリーンを送信すること、を具備する、ワイアレス装置のための対話型スクリーンを処理するための方法。
【請求項２】
ワイアレス装置と対話型スクリーンの対話を指示している信号を受信すること；及び
ワイアレス装置によって要求されたダウンロードされたデータを送信すること、をさらに具備する、請求項１の方法。
【請求項３】
ワイアレス・ネットワークを渡って送信された要求を受信することは、第１のネットワーク・サーバによって受信される、請求項２の方法。
【請求項４】
対話型スクリーンを送信することは、第２のネットワーク・サーバにより実行される、請求項３の方法。
【請求項５】
ワイアレス装置の対話を指示している信号が第２のネットワーク・サーバにより受信されると、ここで、第２のネットワーク・サーバが第１のネットワーク・サーバへ対話を指示している信号を送ると、第１のネットワーク・サーバはワイアレス装置により要求されたダウンロードされたデータを送信する、請求項４の方法。
【請求項６】
ワイアレス・ネットワークと選択的に通信し、第２のネットワーク・サーバと選択的に通信する第１のネットワーク・サーバ；及び
ワイアレス・ネットワークと選択的に通信し、第１のネットワーク・サーバと選択的に通信する第２のネットワーク・サーバ、
ここで、第１のネットワーク・サーバは、ワイアレス装置からダウンロード・データに関する要求を受信し、第２のネットワーク・サーバへ要求を通信する、及び第２のネットワーク・サーバは、ワイアレス装置に対して予定されたワイアレス・ネットワークへ対話型スクリーンを送信する、を具備する、第１のネットワーク・サーバ及び第２のネットワーク・サーバを用いてワイアレス装置のための対話型スクリーンを処理するためのシステム。
【請求項７】
第２のネットワーク・サーバからワイアレス装置と対話を指示している信号を受信すると、第１のネットワーク・サーバは、ワイアレス装置に対して予定されたワイアレス・ネットワークへデータを送信する、請求項６のシステム。
【請求項８】
コンピュータ・プラットフォームを含むユーザ対話型ワイアレス装置のグラフィック画面上の対話型スクリーンを処理するための方法であって、ワイアレス装置はネットワーク・サーバと選択的に通信し、そこからアプリケーション及びデータをダウンロードする、その方法は、下記を具備する：
ワイアレス・ネットワークを渡ってネットワーク・サーバからワイアレス装置へデータを送信することを試みること；及び
ワイアレス装置へ要求されたデータをダウンロードすることに先立って、ワイアレス・ネットワークを渡ってワイアレス装置のコンピュータ・プラットフォームへ対話型スクリーンを送信すること。
【請求項９】
ワイアレス・ネットワークを渡ってネットワーク・サーバからワイアレス装置へデータを送信することを試みることは、ワイアレス・ネットワークを渡ってネットワーク・サーバからワイアレス装置へソフトウェア・アプリケーションをダウンロードすることを試みることを含む、請求項８の方法。
【請求項１０】
ワイアレス・ネットワークを渡ってワイアレス装置へ対話型スクリーンを送信することは、ワイアレス・ネットワークを渡ってワイアレス装置へネットワーク・サーバから対話型スクリーンを送信することを含む、請求項８の方法。
【請求項１１】
請求項８の方法であって、対話型スクリーンは、ワイアレス装置においてデータのユーザ入力を可能にし、
ネットワーク・サーバにおいてワイアレス装置から入力されたデータを受信すること；
ネットワーク・サーバにおいて入力データを処理すること；及び
ワイアレス装置のコンピュータ・プラットフォームに対して予定されたネットワーク・サーバから要求されたデータを選択的に送信すること、をさらに具備する。
【請求項１２】
ワイアレス・ネットワークを渡ってネットワーク・サーバからワイアレス装置へデータを送信することを試みることは、ワイアレス・ネットワークを渡って第１のネットワーク・サーバからワイアレス装置に対して予定されたデータを送信することを試みることを含む、及びワイアレス・ネットワークを渡ってワイアレス装置に対して予定された対話型スクリーンを送信することは、ワイアレス・ネットワークを渡って第２のネットワーク・サーバからワイアレス装置に対して予定された対話型スクリーンを送信することを含む、請求項８の方法。
【請求項１３】
第２のネットワーク・サーバへワイアレス装置から対話を指示している信号を受信すること；
第１のネットワーク・サーバへ第２のネットワーク・サーバからワイアレス装置において対話を指示している信号を送ること；及び
ワイアレス装置に対して予定されたワイアレス・ネットワークへ第１のネットワーク・サーバから要求されたデータを送信すること、をさらに具備する、請求項１２の方法。
【請求項１４】
ワイアレス・ネットワークを渡ってネットワーク・サーバからワイアレス装置へデータを送信することを試みるための手段；及び
ワイアレス装置へ要求されたデータをダウンロードすることに先立って、ワイアレス・ネットワークを渡ってワイアレス装置のコンピュータ・プラットフォームへ対話型スクリーンを送信するための手段、を具備する、対話型スクリーンを処理するためのシステム。
【請求項１５】
実行された場合に、対話型スクリーンを処理するためのコンピュータ読み取り可能な命令を含んでいるコンピュータ読み取り可能な媒体は、下記の方法を実行する：
ワイアレス・ネットワークを渡ってネットワーク・サーバからワイアレス装置へデータを送信することを試みること；及び
ワイアレス装置へ要求されたデータをダウンロードすることに先立って、ワイアレス・ネットワークを渡ってワイアレス装置のコンピュータ・プラットフォームへ対話型スクリーンを送信すること。
【発明の詳細な説明】
【技術分野】
【０００１】
本発明は、一般にワイアレス・ネットワーク及びワイアレス・ネットワークによるコンピュータ通信に関係する。特に本発明は、ワイアレス装置が1つ又は複数のサーバからソフトウェア・アプリケーション又はデータにアクセスすること又はそれらをダウンロードすることを試みる場合に、ワイアレス装置上の表示のために1つ又は複数のサーバによって対話型スクリーンを処理することに関係する。
【背景技術】
【０００２】
セルラ電話機のようなワイアレス装置は、ワイアレス・ネットワーク上で音声及びデータを含むパケットを通信する。セルラ電話機それ自身は、増強された計算能力を備えて製造されており、パーソナル・コンピュータ及び手持ち型のパーソナル・ディジタル・アシスタンツ（personal digital assistants）（“ＰＤＡｓ”）と同等になってきている。精選のセルラ電話機のようなある種のワイアレス装置は、ソフトウェア開発者がワイアレス装置上で動作するソフトウェア・アプリケーションを創作することを可能にするアプリケーション・プログラミング・コンピュータ・プラットフォームをインストールしておくこともできる。
【０００３】
インターネット及びその他の開放ネットワークの上で、コンピュータのユーザがソフトウェア・アプリケーション又はデータをダウンロード又はそれらにアクセスしようとする場合、ユーザにアプリケーションをダウンロードさせることに先立って、ユーザに対話型フォーム、例えば、エンドユーザ・ライセンス・アグリーメント（end-user license agreement）（ＥＵＬＡ）、譲渡証書（release）、又は年令、地位又は非商業的ステータスに関する確認フォームを提供することが知られている。ユーザは、その後、対話型フォームと対話しなければならない。対話型フォームは、アプリケーション・ダウンロード・サーバに確認信号を送り返す。そして、その後、ユーザは、ダウンロードすることを希望したアプリケーションへのアクセスを与えられる。しかしながら、インターネット及び大部分のＬＡＮ又はＷＡＮネットワークは、有線に基づいているか、又はそうでなければ費用のかからないデータ接続性を有しており、その結果、ブラウズしているコンピュータとアプリケーション・ダウンロード・サーバとの間の対話性を提供するバンド幅が容易に利用可能である。したがって、エンド・ユーザ・ライセンス・アグリーメント又は他の認証フォームの送信、及び確認データの返信は、顕著なネットワーク・リソースを必要としない。逆に、セルラ電気通信のようなワイアレス・ネットワーク環境においては、データ転送のためのいかなるネットワーク接続も費用がかかり、アプリケーションのダウンロードに先立ってネットワークをトラバースするユーザ対話型フォームを使用することは、従来から禁止的である。
【０００４】
したがって、ワイアレス装置に対話型メカニズムを提供することが望まれる。ワイアレス装置のユーザは、ネットワークを介してデータにアクセスする前に、このメカニズムを使用して対話をしなければならない。そのようなメカニズムは、限られたバンド幅及びワイアレス・ネットワークに関連する他の特性を考慮する必要がある。
【発明の概要】
【０００５】
本発明の１つの実施形態において、ワイアレス装置のための対話型スクリーンを処理するための方法は、ワイアレス装置にデータをダウンロードするためにワイアレス・ネットワークによって送られる要求を受信すること、及びワイアレス装置に対して予定されているデータを送信することに先立って、ワイアレス装置に対して予定されている対話型スクリーンを送信することを備えている。本方法は、ワイアレス装置の対話を示す信号及び対話型スクリーンを受信すること、及びワイアレス装置によって要求されたダウンロードされるデータを送信することをさらに備えている。また、ワイアレス・ネットワークによって送信される要求を受信することは、第１のネットワーク・サーバによって受信されることであってもよく、及び対話型スクリーンを送信することは、第２のネットワーク・サーバにより実行されることであってもよい。本方法はまた、ワイアレス装置の対話を示す信号が第２のネットワーク・サーバにより受信されるものであってもよい。ここにおいて、第２のネットワーク・サーバは、対話を示す信号を第１のネットワーク・サーバに送り、及び第１のネットワーク・サーバはワイアレス装置により要求されたダウンロードされるデータを送信してもよい。
【０００６】
本発明の他の実施形態において、第１のネットワーク・サーバ及び第２のネットワーク・サーバを用いてワイアレス装置のための対話型スクリーンを処理するためのシステムは、ワイアレス・ネットワークと選択的に通信し、第２のネットワーク・サーバと選択的に通信する第１のネットワーク・サーバ、及びワイアレス・ネットワークと選択的に通信し、第１のネットワーク・サーバと選択的に通信する第２のネットワーク・サーバを備えている。ここにおいて、第１のネットワーク・サーバは、ワイアレス装置からダウンロード・データに関する要求を受信し、その要求を第２のネットワーク・サーバに通信し、及び第２のネットワーク・サーバは、ワイアレス装置に対して予定されている対話型スクリーンをワイアレス・ネットワークに送信する。
【０００７】
本発明のさらなる他の実施形態において、コンピュータ・プラットフォームを含むユーザ対話型ワイアレス装置のグラフィック画面上の対話型スクリーンを処理するための方法であって、ここにおいて前記ワイアレス装置は、ネットワーク・サーバと選択的に通信し、そこからアプリケーション及びデータをダウンロードし、前記方法は、ワイアレス・ネットワークによってネットワーク・サーバからワイアレス装置にデータを送信することを試みること、及び要求されたデータをワイアレス装置にダウンロードすることに先立って、ワイアレス・ネットワークによってワイアレス装置のコンピュータ・プラットフォームに対話型スクリーンを送信することを備えている。
【０００８】
本発明の目的、利点、及び特徴は、以下に述べられる図面の簡単な説明及び発明の詳細な説明、並びに特許請求の範囲を考察した後、明らかになるであろう。
【図面の簡単な説明】
【０００９】
【図１】図１は、ワイアレス・ネットワーク、並びにワイアレス装置に対話型スクリーンを提供するためにシステム内部で使用されることができるコンピュータ・ハードウェア及びワイアレス装置の代表的な図である。
【図２】図２は、異なるワイアレス装置、アプリケーション・ダウンロード・サーバ、独立した対話型スクリーン・サーバ、及びそれらのそれぞれのデータベースの間の通信を提供するワイアレス・ネットワークのハードウェア・コンポーネントのブロック図である。
【図３】図３（ａ）は、ユーザがアプリケーションをダウンロードしようとすることに応じてユーザにＥＵＬＡを表示しているセルラ電話機のグラフィック画面の透視図である。図３（ｂ）は、エンドユーザが年令制限されたアプリケーションをダウンロードしようとすることに応じてユーザに年令確認を表示しているセルラ電話機のグラフィック画面の透視図である。ユーザは、フォーム上に自分の年令を入力することが要求される。
【図４】図４は、ネットワーク・サーバからアプリケーションをダウンロードすることを試みることをワイアレス装置コンピュータ・プラットフォーム上で実行すること、対話型スクリーンを受信してユーザに表示すること、ネットワーク・サーバに対話データを送信すること、及びアプリケーションをダウンロードすることのプロセスを図説するフローチャートである。
【図５】図５は、図４のワイアレス装置からダウンロード要求を受信するアプリケーション・ダウンロード・サーバ上で実行すること、対話型スクリーンをワイアレス装置に送信すること、ワイアレス装置が要求されたアプリケーションをダウンロードすることを許可する前にユーザが対話型スクリーンと適切に対話するまで待機するプロセスを図説するフローチャートである。
【発明の詳細な説明】
【００１０】
ソフトウェア・アプリケーションをワイアレス装置にダウンロードすることを提供するシステム及び方法が期待されている。ソフトウェア・アプリケーションは、ワイアレス装置が製造される時点でプリロードされることができる。又は、ワイアレス装置上で追加のプログラムが実行可能である場合、ユーザは、追加のプログラムがセルラ電気通信キャリア・ネットワークを介してダウンロードされることを後で要求することもできる。その結果、ワイアレス装置のユーザは、例えば、ゲーム、印刷媒体（printed media）、株式最新情報（stock updates）、ニュース、又はワイアレス・ネットワークを経由してアプリケーション・ダウンロード・サーバからダウンロード可能な他の任意のタイプの情報又はプログラムのような様々なプログラムを用いることによって自分のワイアレス装置をカスタマイズすることができる。
【００１１】
あるシナリオにおいて、もしワイアレス装置のユーザがワイアレス・ネットワークを使用してソフトウェア・アプリケーションをダウンロードし及び使用することを望むのであれば、典型的には、ユーザはサービス・プロバイダに電話をするか、又はインターネット・アクセスのような他の手段を経由してサービス・プロバイダにコンタクトするか、のいずれかである。サービス・プロバイダは、ワイアレス・ネットワークによってワイアレス装置にアプリケーションを送信するか、又はアプリケーションがダウンロード可能又はアクセス可能であるネットワーク・サイトにユーザがアクセスすることを可能にするか、のいずれかである。アプリケーション・ダウンロード・サーバに接続するために、ワイアレス装置は、まずセルラ・ネットワークのようなワイアレス・ネットワークへの通信接続をブリッジし、それから希望するソフトウェア・アプリケーションが常駐するアプリケーション・ダウンロード・サーバにコンタクトすることを試みる。ワイアレス装置がアプリケーション・ダウンロード・サーバにいったんコンタクトすると、初期の接続がなされ、アプリケーション・ダウンロード・サーバは、どのアプリケーションがワイアレス装置に利用可能であるかを決定し、ユーザが利用可能なアプリケーションについて知ることができるように、ワイアレス装置上に表示するためのメニューのような適切な情報を送る。ダウンロード可能なアプリケーションへのアクセスがいったん提供されると、ワイアレス装置のユーザは、利用可能なアプリケーションをどれでもダウンロードすることができる。
【００１２】
本発明は、ワイアレス装置がワイアレス・ネットワークによってアプリケーション・ダウンロード・サーバのようなネットワーク・サーバ上のデータ又はアプリケーションをダウンロード又はアクセスすることを試みるとき、ワイアレス装置のグラフィック画面上に対話型スクリーンを提供するためのシステム及び方法を提供する。対話型スクリーンは、ネットワーク・サーバ上の個々のアプリケーション及びデータの限定的アクセスを可能にする。対話型スクリーンは、ワイアレス装置のコンピュータ・プラットフォームがナビゲートすることを試みている第１のネットワーク・サーバからワイアレス装置に送信されることができる。又は、対話型スクリーンは、ワイアレス・ネットワーク上の第２のサーバからワイアレス装置に送信されることもできる。対話型スクリーンは、グラフィックス、テキスト、マルチメディア・コンポーネント、データ・エントリ・フィールド、又はハイパーリンクを含むことができる。これらはすべてワイアレス装置のグラフィック画面上で表示可能でかつ対話型のものであり、そして、システムは、要求されたアプリケーション又はデータをダウンロードする又はアクセスするためにエンドユーザがスクリーンと適切に対話することを要求する。
【００１３】
対話型スクリーンの例は、ＥＵＬＡ又は確認フォームである。ＥＵＬＡは、エンドユーザがソフトウェア・アプリケーションをダウンロードすることを許可される前に、エンドユーザが一定の条件に同意することを要求する。確認フォームは、エンドユーザがネットワーク・サーバ上のアプリケーション又はデータに対する要求されたアクセスを得るために、エンドユーザがデータを入力することを要求する。ワイアレス装置のユーザが適切な予め決められた方法でワイアレス装置のグラフィック画面上に表示された対話型スクリーンといったん対話すると、ワイアレス装置は、第１又は第２のネットワーク・サーバに適切な対話を示す信号を送る。第１のネットワーク・サーバは、それから、要求されたアプリケーション又はデータにアクセスすること又はそれらをワイアレス装置のコンピュータ・プラットフォームにダウンロードすることを許可する。第２のネットワーク・サーバがワイアレス装置に対話型スクリーンを提供したとき、第２のネットワーク・サーバはワイアレス装置から対話データを受信し、第１のネットワーク・サーバに対話データを中継することもできる。これによって、第１のネットワーク・サーバは、それから、要求されたデータをワイアレス装置のコンピュータ・プラットフォームにダウンロードすることを許可する。
【００１４】
それゆえ、アプリケーション・ダウンロード・サーバのようなネットワーク・サーバ上の特定のアプリケーション及びデータをダウンロード又はアクセスしようとしているワイアレス装置のユーザに表示されることができる対話型スクリーンを提供することは、本発明のシステム及び方法の１つの目的である。対話型スクリーン、ネットワーク・サーバのオペレータ、アクセスを選択的に制御する能力、ワイアレス装置のユーザは、ネットワーク・サーバに常駐するアプリケーションでなければならず、かつユーザは、アプリケーション及びデータにアクセスすることを許可される前にＥＵＬＡを登録すること又はデータを入力することを強制される。ワイアレス装置に対話型スクリーンを提供し、対話記録を記憶することができる独立したネットワーク・サーバを使用することによって、システムは、他のネットワーク・サーバのアプリケーション及びデータへのアクセスを制御するとともに、ワイアレス・ネットワークのバンド幅及びリソースを節約することができる。そのようにして、本発明は、アプリケーション・ダウンロード又はネットワーク・サーバ上に常駐するアプリケーション及びデータをダウンロードする又はアクセスする能力をワイアレス装置のユーザに与える前に、ワイアレス装置のユーザに同意を実行させる又は事実を確認させる能力をネットワーク・サーバのオペレータに与えることができるものであって、しかもワイアレス・ネットワーク及びネットワーク・サーバのバンド幅及びリソースの著しい使用を伴わないという利点を提供するものである。
【００１５】
[本発明の例示的な実施形態]
全体を通して同様の番号が同様のエレメントを表すところの諸図面を参照し、図１は、申し込みのあったソフトウェア・アプリケーションを1つ又は複数のワイアレス装置（例えば、セルラ電話機）に提供するためのシステム１０の１つの実施形態を示している。ワイアレス装置は、ワイアレス・ネットワーク１４によって、少なくとも１つのネットワーク・サーバ（例えば、アプリケーション・ダウンロード・サーバ１６）と通信できるようになっていて、ワイアレス・ネットワーク１４に対するワイアレス通信ポータル又はその他のデータアクセスによって、ソフトウェア・アプリケーション又はその他のデータをワイアレス装置に選択的にダウンロードする又はアクセスを提供する。ここに示されているように、ワイアレス装置は、グラフィック画面１３を有するセルラ電話機１２、ＰＤＡスクリーン１９を有するパーソナル・ディジタル・アシスタンツ１８、グラフィック画面２１を有するページャ２０（ここでは双方向テキスト・ページャとして示されている）、又はワイアレス通信ポータル及び画面２３を有する独立したコンピュータ・プラットフォーム２２でさえあってよく、そうでなければ、ネットワーク又はインターネットに対する有線接続を持っていてもよい。システム１０は、ワイアレス通信ポータルを含み、また以下のものに限られるものではないが、ワイアレス・モデム、ＰＣＭＣＩＡカード、アクセス・ターミナル、パーソナル・コンピュータ、アクセス・ターミナル、画面又はキーパッドのない電話機、又はこれらのものの任意の組み合わせ又は部分的組み合わせを含む任意の形式の遠隔コンピュータ・モジュールの上で実行されることができる。
【００１６】
アプリケーション・ダウンロード・サーバ１６は、アクセス可能かつワイアレス装置１２，１８，２０，２２にダウンロード可能なソフトウェア・アプリケーション及びデータを含むアプリケーション及びデータを記憶しているデータベース２８のような、ワイアレス・ネットワーク１４と通信している他のコンピュータ・エレメントを有するローカルのサーバ側のネットワークの上にあるものとして示されている。対話型スクリーン・サーバ３２であって、かつ対話型データベース３０を記憶している第２のネットワーク・サーバも示されている。このような実施形態において、対話型スクリーン・サーバ３２は、下記に説明されるように、ワイアレス装置１２，１８，２０，２２に対話型スクリーンを送信する。また対話記録記憶データベース３０は、対話型スクリーン・サーバ３２に常駐するものであってもよい。データベース３０は、対話型スクリーンが提供されたワイアレス装置との対話についての個々の記録、エンドユーザによるデータ入力、及び他の任意の対話関連データを記憶する。前記独立した対話型スクリーン・サーバ３２及び対話記録記憶データベース３０によって、アプリケーション・ダウンロード・サーバ１６のような多くの他のネットワーク・サーバは、ネットワーク・サーバ・リソースの著しい使用なしに、ネットワーク・サーバに常駐するアプリケーション及びデータへのアクセスを制御する対話型スクリーンを提供するシステム１０を有することができる。しかしながら、サーバ側の機能はアプリケーション・ダウンロード・サーバ１６のような１個のサーバの上で実行されることができるので、対話型スクリーン・サーバ３２及び対話記録記憶データベース３０は必ずしも必要ではない。さらに、コンピュータ・サーバ側のコンピュータ・プラットフォームは、ワイアレス・ネットワーク１４によってワイアレス装置１２，１８，２０，２２に独立したサービス及び処理を提供することができる。
【００１７】
図２は、ワイアレス・ネットワークのコンポーネント、及びシステム１０のエレメントの相互関係をより完全に示すブロック図である。ワイアレス・ネットワーク１４は、単に例示的なものであって、任意のシステムを含むことができる。ワイアレス装置１２，１８，２０，２２のような遠隔モジュールは、そのシステムを用いることによって、モジュール相互の間で及び／又はワイアレス・ネットワーク１４のコンポーネントの間で無線による通信を行う。前記コンポーネントは、以下のものに限られることなく、ワイアレス・ネットワーク・キャリア及び／又はサーバ、並びに単独又はワイアレス・ネットワークと組み合わされた非ワイアレス・ネットワークを含む。アプリケーション・ダウンロード・サーバ１６及びアプリケーション記憶データベース２８、対話型スクリーン・サーバ３２、及び対話記録記憶データベース３０は、セルラ電気通信サービスを提供するために必要とされる他の任意のコンポーネントを有するセルラ・データ・ネットワークの上にある。アプリケーション・ダウンロード・サーバ１６、対話型スクリーン・サーバ３２、及び／又は他のスクリーン・サーバは、インターネット、安全なＬＡＮ，ＷＡＮ又は他のネットワークのようなデータ・リンクを経由してキャリア・ネットワーク４０と通信する。キャリア・ネットワーク４０は、メッセージング・サービス・コントローラ（messaging service controller）（“ＭＳＣ”）４２に送られるメッセージ（一般にデータ・パケットである）を制御する。キャリア・ネットワーク４０は、ネットワーク、インターネット及び／又はＰＯＴＳ（“簡単な通常の電話システム（plain ordinary telephone system）”）によってＭＳＣ４２と通信する。典型的には、キャリア・ネットワーク４０とＭＳＣ４２との間のネットワーク又はインターネット接続は、データを送信し、及びＰＯＴＳは、音声情報を送信する。ＭＳＣ４２は、複数の基地局（base station）（“ＢＴＳ”）４４に接続される。キャリア・ネットワークと同じように、ＭＳＣ４２は、典型的には、データ送信のためのネットワーク及び／又はインターネット及び音声情報のためのＰＯＴＳの両者によってＢＴＳ４４と接続される。ＢＴＳ４４は、最終的には、ショート・メッセージング・サービス（short messaging service）（“ＳＭＳ”）又はこの分野で知られている他の無線の方法によってセルラ電話機１２のようなワイアレス装置へ無線でメッセージを同報通信する。
【００１８】
セルラ電話機１２のようなワイアレス装置は、ソフトウェア・アプリケーションを受信し実行し、アプリケーション・ダウンロード・サーバ１６から送信されたデータを表示することができるコンピュータ・プラットフォーム５０を有する。コンピュータ・プラットフォーム５０は、ワイアレス装置がネットワーク・サーバ上に常駐するデータ及びアプリケーションと対話することも可能にする。コンピュータ・プラットフォーム５０は、他のコンポーネントの中で、画面ドライバ５２を含むことができる。画面ドライバ５２は、グラフィック画面１３を駆動し、コンピュータ・プラットフォーム５０において受信されるグラフィック・データに基づいてグラフィック画面１３上に画像を表現する。コンピュータ・プラットフォーム５０は、特定用途集積回路（application-specific integrated circuit）（“ＡＳＩＣ”）５４、又は他のプロセッサ、マイクロプロセッサ、ロジック回路、又は他のデータ処理装置も含む。ＡＳＩＣ５４又は他のプロセッサは、ワイアレス装置のメモリ５８の中に常駐する任意のプログラムとインターフェースするアプリケーション・プログラミング・インターフェース（application programming interface）（“ＡＰＩ”）レイヤ５６を実行する。メモリは、リードオンリー又はランダムアクセス・メモリ（ＲＡＭ及びＲＯＭ）、ＥＰＲＯＭ、ＥＥＰＲＯＭ、フラッシュ・カード、又はコンピュータ・プラットフォームに共通の任意のメモリで構成されることができる。コンピュータ・プラットフォーム５０は、ローカル・データベース６０も含む。ローカル・データベース６０は、アプリケーション・ダウンロード・サーバ１６からダウンロードされるソフトウェア・アプリケーションのような、メモリ５８の中では活発に使用されていないソフトウェア・アプリケーションを保持しておくことができる。ローカル・データベース６０は、典型的には、1つ又は複数のフラッシュ・メモリ・セルからなるが、この分野で知られている任意の二次的又は三次的記憶装置、例えば、磁気媒体、ＥＰＲＯＭ、ＥＥＰＲＯＭ、光学的媒体、テープ、又はソフト又はハード・ディスクのようなものであってもよい。
【００１９】
セルラ電話機１２のようなワイアレス装置は、ゲーム又は株式モニタのような多くのタイプのアプリケーション、又はニュース及びスポーツ関係のデータのような単なるデータにアクセスし、ダウンロードすることできる。ダウンロードされたデータは、画面上に直ちに表示される、又は使用されない場合にはローカル・データベース６０に記憶されることができる。ソフトウェア・アプリケーションは、ワイアレス装置１２，１８，２０，２２上に常駐する通常のソフトウェア・アプリケーションのように扱われることができ、そして、ワイアレス装置のユーザは、データベース内に記憶されているアプリケーションをＡＰＩ５６上で実行するためにローカル・データベース６０からメモリ５８に選択的にアップロードすることができる。ワイアレス装置１２，１８，２０，２２のエンドユーザは、ローカル・データベース６０からソフトウェア・アプリケーションを選択的に削除することもできる。
【００２０】
図３（ａ）及び（ｂ）に示されているように、ワイアレス装置がワイアレス・ネットワーク１４によってアプリケーション・ダウンロード・サーバ１６のようなネットワーク・サーバからデータにアクセスする又はダウンロードすることを試みると、システム１０は、セルラ電話機１２のようなワイアレス装置のグラフィック画面１３上に対話型スクリーン１５，１７を表示する。システム１０は、要求されたアプリケーション又はデータを含んでいるサーバ、又は対話型スクリーン・サーバ３２のような第２のサーバのいずれかから、ワイアレス装置のコンピュータ・プラットフォーム５０に対話型スクリーンを送信する。対話型スクリーン１５，１７は、ネットワーク・サーバが要求されたデータ又はアプリケーションをダウンロードする又はアクセスを許可する前に、グラフィック画面上にユーザに対して現れる。このようにして、ネットワーク・サーバのオペレータは、対話型スクリーン１５，１７を使用することによって、個々のアプリケーション及びデータに対するワイアレス装置１２，１８，２０，２２のアクセスを制御することができる。例として、図３（ａ）において、エンド・ユーザ・ライセンス・アグリーメント（ＥＵＬＡ）対話型スクリーンは、ユーザがアプリケーション・ダウンロード・サーバ１６からソフトウェア・アプリケーションをダウンロードしようとするとき、グラフィック画面１３上にエンドユーザに対して表示される。ユーザは、アプリケーションをダウンロードするためにはＥＵＬＡについての合意を示さなければならず、またコンピュータ・プラットフォームのＡＰＩ５６上のＥＵＬＡ１５と対話することができる。典型的なＡＰＩは、この分野で知られているようにアイコンをアクティブにできる画面上の可動カーソルを提供する。また、ＰＤＡインターフェースにおいて一般的であるタッチ・スクリーン及びスタイラスのような他のグラフィック・ユーザ・インターフェースが使用されることができる。ＥＵＬＡに応答してエンドユーザが入力する信号はすべて、セルラ電話機１２から直接的に又は対話型スクリーン・サーバ３２によって送られたユーザ対話を示す信号から間接的に、のいずれかのやりかたで、アプリケーション・ダウンロード・サーバ１６に送り返される。
【００２１】
対話型スクリーンのもう１つの例として、図３（ｂ）は、年令確認フォーム１７を図示する。年令確認フォーム１７は、ネットワーク・サーバ上の年令制限のあるマテリアルへのアクセスが許可される前に、ユーザが自分の年令を入力することを要求する。ユーザは、そのようにしてスクリーンに応答して自分の年令を入力し、セルラ電話機は、その入力データをアプリケーション・ダウンロード・サーバ１６又は対話型スクリーン・サーバ３２のような適切なネットワーク・サーバに送信する。入力された年令が基準を満たすかどうかを決定するために、データが要求されているサーバ又は対話型スクリーン・サーバ３２のいずれかにおいて、ある種の処理が起こり得る。もし対話型スクリーン・サーバ３２がそのデータを処理するのであれば、それは、ワイアレス装置のアクセスを認可するために、データが要求されたサーバに肯定的又は否定的な信号を送信することができる。
【００２２】
ワイアレス装置がデータのアクセス又はダウンロードを試みたネットワーク・サーバからワイアレス装置１２，１８，２０，２２に対話型スクリーン１５，１７が送信されることができるけれども、ある実施形態は、アプリケーション・ダウンロード・サーバ１６のような純粋なアプリケーション・サーバ上のリソースを節約するために、対話型スクリーン・サーバ３２のような他の１つのネットワーク・サーバ及び関連する対話記録記憶データベース３０を使用することを含んでいる。この結果、ワイアレス装置１２，１８，２０，２２がアプリケーション・ダウンロード・サーバ１６のようなワイアレス・ネットワーク１４によって第１のネットワーク・サーバ上のデータ又はアプリケーションをダウンロード又はアクセスしようと試みると、ワイアレス・ネットワーク１４によって対話型スクリーン・サーバ３２のような第２のネットワーク・サーバからワイアレス装置１２，１８，２０，２２に対話型スクリーンが送信される。そのような実施形態において、ワイアレス装置１２，１８，２０，２２のユーザがワイアレス装置１２，１８，２０，２２のグラフィック画面１３，１９，２１，２３上に表示された対話型スクリーンといったん対話すると、ワイアレス装置は、対話を示す信号を第２のネットワーク・サーバ（対話型スクリーン・サーバ３２）に送り、第２のネットワーク・サーバは、ワイアレス装置における対話を示す信号を第１のネットワーク・サーバ（アプリケーション・ダウンロード・サーバ１６）に送る。その結果、第１のネットワーク・サーバは、今や、要求されたデータ又はアプリケーションへのアクセスを提供する又はワイアレス装置１２，１８，２０，２２のコンピュータ・プラットフォーム５０にダウンロードすることを許可される。もし対話型スクリーンが図３（ｂ）の確認フォーム１７のようなデータの入力を要求するのであれば、ワイアレス装置１２，１８，２０，２２のエンドユーザが対話型スクリーン上にいったんデータを入力すると、ワイアレス装置１２，１８，２０，２２は、その入力データを第２のネットワーク・サーバ（対話型スクリーン・サーバ３２）に送信し、第２のネットワーク・サーバは、ワイアレス装置１２，１８，２０，２２におけるデータの入力を示す信号を第１のネットワーク・サーバ（アプリケーション・ダウンロード・サーバ３２）に再び送り、及び第１のネットワーク・サーバは、要求されたデータ又はアプリケーションのアクセス又はダウンロードを提供することができる。第２のネットワーク・サーバとして対話型スクリーン・サーバ３２を使用することは、特に対話記録記憶データベース３０を用いる場合は、アプリケーション・ダウンロード・サーバ１６のような単一のネットワーク・サーバ上で生じる全ての機能性を用いて実現できるものに比べて、対話型スクリーン及び対話記録の記憶をより早く提供することを可能にする。システム１０の速度の向上は、ワイアレス・ネットワーク１４上のデータ転送時間の減少を意味し、このことは、ワイアレス・ネットワーク１４の費用のかかるバンド幅を節約する。
【００２３】
対話型スクリーンは、ワイアレス装置とネットワーク・サーバの対話の間の任意の間隔でワイアレス装置１２，１８，２０，２２に提供されることができる。システム１０は、ワイアレス装置に対話型スクリーンを送信して、ネットワーク・サーバ上の特定のアプリケーション、データセット、さらにはファイル・レベル（データはウィンドウズ（登録商標）、ＵＮＩＸ（登録商標）、及びＬＩＮＵＸ（登録商標）のようなファイル構造でネットワーク・サーバ上に保持されてもよい）へのアクセスを阻止することもできる。さらに、対話型スクリーンの送信は、アプリケーション又はデータがワイアレス装置によってアクセスされ又はダウンロードされようとするときいつでも生じ得る。又は、１回だけのＥＵＬＡが必要であるならば、ワイアレス装置１２，１８，２０，２２によるＥＵＬＡの実行の記録は、例えば、対話記録記憶データベース３０に記憶されることができる。ワイアレス装置がアプリケーション又はデータのダウンロードを求めるとき、対話型スクリーン・サーバのようなネットワーク・サーバによって、ある比較を行うことが可能であって、もしワイアレス装置が記憶されたＥＵＬＡを有するのであれば、対話型スクリーンの提供は不必要であり、システム１０はダウンロードを自由に進めさせることができる。
【００２４】
ある例示的な実施形態において、ワイアレス装置１２，１８，２０，２２のコンピュータ・プラットフォーム５０上で実行されるプロセスが図４のフローチャートに示されている。セルラ電話機１２のようなワイアレス装置は、ステップ７２で示されるように、セルラ・ネットワークのようなワイアレス・ネットワーク１４への接続をブリッジし、ステップ７２で示されるように、アプリケーション・ダウンロード・サーバ１６のようなネットワーク・サーバと接続する。アプリケーション・ダウンロード・サーバ１６と接続されている間のある時点において、ワイアレス装置は、ステップ７４で示されるように、アプリケーションをダウンロードすることを要求する、又は、そうでなければ、アクセスが制限されているデータにアクセスしようとする。そのようにして、ステップ７４で要求がなされた後、決定７６によって示されるように、ワイアレス装置のコンピュータ・プラットフォーム５０において対話型スクリーン１５，１７が受信されているかどうかについての決定がなされる。もし対話型スクリーン１５，１７が受信されていないのであれば、プロセスは次に進み、要求されたアプリケーションが受信されているかを決定８４において決定する。反対に、決定７６において対話型スクリーン１５，１７が受信されているのであれば、ステップ７８で示されるように、ワイアレス装置１２，１８，２０，２２のグラフィック画面１３，１９，２１，２３上に対話型スクリーン１５，１７が表示される。
【００２５】
対話型スクリーン１５，１７が表示された後、決定８０に示されるように、ユーザが対話型スクリーン１５，１７と対話をしたかどうかについての決定がなされる、又は、言い換えると、ユーザが対話型スクリーン１５，１７と対話をするまで、ワイアレス装置は待機する。そのように、ワイアレス装置は、アプリケーション・ダウンロード・サーバ１６又は対話型スクリーン・サーバ３２のような、対話型スクリーンを送信しているネットワーク・サーバに信号及び／又はデータを送り返すことができる。もし決定８０においてユーザが対話型スクリーン１５，１７と対話をしていないのであれば、プロセスは、再び決定８０に入り、ユーザが対話型スクリーン１５，１７と対話をするまで待機する、又はダウンロード要求から退出する。もし決定８０においてユーザが対話型スクリーン１５，１７と対話したのであれば、ステップ８２で示されるように、ワイアレス装置１２，１８，２０，２２から適切なネットワーク・サーバに対話データ又は信号が送信される。
【００２６】
それから、決定８４において示されるように、ワイアレス装置１２，１８，２０，２２のコンピュータ・プラットフォーム５０において要求アプリケーションが受信されたか（又は要求されたアクセスが認可されたか）どうかについての決定がなされる。もし決定８４においてアプリケーションが受信されていない（又はアクセスが認可されていない）のであれば、プロセスは、ダウンロード（又はアクセス）が不成功であったので終結される。もし決定８４においてアプリケーションが成功裏に受信されたのであれば、ステップ８６に示されるように、アプリケーションは、ワイアレス装置１２，１８，２０，２２においてインストールされる。もし要求がネットワーク・サーバ上のデータ又はアプリケーションへのアクセスに対するものであれば、ワイアレス装置１２，１８，２０，２２は、データ又はアプリケーションへのアクセスを得る。
【００２７】
図５を参照して、アプリケーション・ダウンロード・サーバ１６（又は他のタイプのネットワーク・サーバ）の上で実行するプロセスの例示的な実施形態がフローチャートに示される。ステップ９０に示されるように、ワイアレス装置１２，１８，２０，２２との接続に入る。ステップ９２で示されるように、ある時点で、アプリケーション・ダウンロード・サーバ１６は、アプリケーションをダウンロードせよ又はデータベース内のデータにアクセスせよとの要求をワイアレス装置１２，１８，２０，２２から受信する。アプリケーション・ダウンロード・サーバ１６においてその要求がいったん受信されると、決定９４に示されるように、ワイアレス装置ユーザとの対話が必要であるかどうかが決定される。その決定は、ネットワーク・サーバのオペレータが選択する任意の基準、例えば、ワイアレス装置の所有者、アクセス又はダウンロードが要求されているアプリケーション又はデータの主題の性質に基づいてなされることができる。もし決定９４においてワイアレス装置ユーザとの対話が必要ないとされるのであれば、ステップ１０２に示されるように、要求されたアプリケーションは、ワイアレス装置１２，１８，２０，２２にダウンロードされる。もし決定９４において対話が必要であるならば、対話型スクリーン１５，１７がワイアレス装置１２，１８，２０，２２に送信され、要求されたダウンロード（又はアクセス）が許可される前にユーザが対話型スクリーン１５，１７と対話することを要求する。
【００２８】
決定９８に示されるように、ワイアレス装置のユーザが対話型スクリーン１５，１７と適切に対話したかどうか、例えば、ＥＵＬＡを肯定的に入力したか（図３（ａ））又は正確な年令を入力したか（図３（ｂ））についての決定が行なわれる。対話信号又はデータは、アプリケーションを要求し及び対話型スクリーン１５，１７を表示するワイアレス装置１２，１８，２０，２２から直接送られるか、又はワイアレス装置から対話信号又はデータをはじめに受信した対話型スクリーン・サーバ３２のような第２のネットワーク・サーバから送られた信号又はデータであるか、のいずれかであることができる。もし決定９８においてワイアレス装置ユーザはワイアレス装置１２，１８，２０，２２において対話型スクリーン１５，１７と適切に対話していないとされるのであれば、ステップ１００で示されるように、アプリケーションをワイアレス装置１２，１８，２０，２２にダウンロードすることへの拒絶（又はアクセスの拒絶）の通知がその要求をしているワイアレス装置に返される。もし決定９８においてワイアレス装置ユーザはワイアレス装置１２，１８，２０，２２において対話型スクリーン１５，１７と適切に対話をしたとされるのであれば、ステップ１０２に示されるように、要求されたアプリケーションは、ワイアレス装置にダウンロードされる（又は要求されたアプリケーションへのアクセスが承認される）。
【００２９】
システム１０は、そのようにして、ユーザ対話型ワイアレス装置１２，１８，２０，２２のグラフィック画面１３，１９，２１，２３上に対話型スクリーン１５，１７を表示するための方法であって、ワイアレス・ネットワーク１４によってアプリケーション・ダウンロード・サーバ１６のようなネットワーク・サーバ上のデータをダウンロード又はアクセスしようと試みること、要求されたデータ又はアプリケーションをダウンロードする又はアクセスすることに先立って、ワイアレス・ネットワーク１４によってワイアレス装置１２，１８，２０，２２のコンピュータ・プラットフォーム５０に対話型スクリーン１５，１７を送信すること、及びワイアレス装置１２，１８，２０，２２のグラフィック画面１３，１９，２１，２３上に対話型スクリーン１５，１７を表示することを含む方法を提供する。本方法はまた、ワイアレス装置１２，１８，２０，２２において対話型スクリーン１５，１７と対話すること、ワイアレス装置１２，１８，２０，２２からネットワーク・サーバ（アプリケーション・ダウンロード・サーバ１６又は対話型スクリーン・サーバ３２）に対話を示す信号を送ること、及びワイアレス装置１２，１８，２０，２２のコンピュータ・プラットフォーム５０を用いてネットワーク・サーバにおいて要求されたデータ又はアプリケーションをダウンロードすること又はアクセスすることも含むことができる。もし対話型スクリーン１５，１７がワイアレス装置ユーザのデータ入力を可能にするのであれば、本方法は、さらに、ワイアレス装置１２，１８，２０，２２のグラフィック画面１３，１９，２１，２３上に表示された対話型スクリーン１５，１７上でデータを入力するステップ、入力されたデータをワイアレス装置１２，１８，２０，２２からネットワーク・サーバに送るステップ、ネットワーク・サーバにおいて入力データを処理するステップ、及び要求されたデータ又はアプリケーションをネットワーク・サーバにおいて選択的にダウンロードする又はアクセスを認可するステップを備える。
【００３０】
ワイアレス・ネットワーク１４によってワイアレス装置１２，１８，２０，２２に対話型スクリーン１５，１７を送信することは、ワイアレス装置がアプリケーション又はデータをダウンロードする又はそれらにアクセスすることを要求した第１のネットワーク・サーバ（例えばアプリケーション・ダウンロード・サーバ１６）からワイアレス装置１２，１８，２０，２２に対話型スクリーン１５，１７を送信することを含むことができる、又は、ワイアレス・ネットワーク１４によって第２のネットワーク・サーバ（例えば対話型スクリーン・サーバ３２）から対話型スクリーン１５，１７を送信することができる。もしワイアレス装置に対話型スクリーン１５，１７を提供するために対話型スクリーン・サーバ３２が使用されるのであれば、本方法は、ワイアレス装置のグラフィック画面１３，１９，２１，２３上に表示された対話型スクリーン１５，１７と対話をするステップ、対話を示す信号をワイアレス装置から第２のネットワーク・サーバに送るステップ、ワイアレス装置１２，１８，２０，２２における対話を示す信号を第２のネットワーク・サーバ（例えば対話型スクリーン・サーバ３２）から第１のネットワーク・サーバ（例えばアプリケーション・ダウンロード・サーバ１６）に送るステップ、及び第１のネットワーク・サーバに常駐する要求されたデータ又はアプリケーションをワイアレス装置１２，１８，２０，２２のコンピュータ・プラットフォーム５０にダウンロードする又はアクセスするステップを含むことができる。そして、もし対話型スクリーン１５，１７がワイアレス装置１２，１８，２０，２２においてワイアレス装置ユーザのデータ入力を可能にするのであれば、本方法は、さらに、ワイアレス装置１２，１８，２０，２２のグラフィック画面１３，１９，２１，２３上に表示された対話型スクリーン（例えば図３（ｂ）の確認フォーム）の上でデータを入力すること、その入力データをワイアレス装置から第２のネットワーク・サーバ（例えば対話型スクリーン・サーバ３２）に送信すること、ワイアレス装置１２，１８，２０，２２におけるデータ入力を示す信号を第２のネットワーク・サーバから第１のネットワーク・サーバ（例えばアプリケーション・ダウンロード・サーバ１６）に送ること、及びネットワーク・サーバにおいて要求されたデータ又はアプリケーションをワイアレス装置１２，１８，２０，２２のコンピュータ・プラットフォーム５０にダウンロードすること又はアクセスすることを含むことができる。
【００３１】
本発明は、さらに、コンピュータ・プラットフォーム５０及びその上のグラフィック画面１３，１９，２１，２３を含むワイアレス装置１２，１８，２０，２２を含む。ここで、ワイアレス装置１２，１８，２０，２２は、ワイアレス・ネットワーク１４によって1つ又は複数のネットワーク・サーバと選択的に通信し、各ネットワーク・サーバは、ワイアレス装置１２，１８，２０，２２にデータ及びアプリケーションを選択的にダウンロードする。ワイアレス装置１２，１８，２０，２２がワイアレス・ネットワーク１４によってネットワーク・サーバ上のデータをダウンロードすること又はアクセスすることを試みると、ワイアレス装置のコンピュータ・プラットフォーム５０は、ワイアレス・ネットワーク１４によって送信された対話型スクリーン１５，１７を受信し、ワイアレス装置１２，１８，２０，２２は、その送信された対話型スクリーン１５，１７をグラフィック画面１３，１９，２１，２３上に表示する。もし対話型スクリーン１５，１７がワイアレス装置１２，１８，２０，２２におけるユーザのデータ入力を可能にするのであれば、ワイアレス装置１２，１８，２０，２２は、それから、ワイアレス装置のグラフィック画面１３，１９，２１，２３上に表示された対話型スクリーン１５，１７上でユーザがデータを入力することを可能にし、ワイアレス装置は、入力されたデータを適切なネットワーク・サーバ（例えばアプリケーション・ダウンロード・サーバ１６及び対話型スクリーン・サーバ３２）に送る。
【００３２】
他の実施形態は、コンピュータ読み取り可能な媒体に常駐するプログラムを含む。ここで、プログラムは、コンピュータ・プラットフォームを有するワイアレス装置にこの方法の発明的なステップを実行するよう命令する。コンピュータ読み取り可能な媒体は、セルラ電話機１２又は他のワイアレス装置のコンピュータ・プラットフォーム５０のメモリ５８であってよく、又はセルラ電話機１２のローカル・データベース６０のようなローカル・データベースの中にあってもよい。さらに、コンピュータ読み取り可能な媒体は、ワイアレス装置コンピュータ・プラットフォームにロード可能な二次的記憶媒体、例えば、磁気ディスク又はテープ、光ディスク、ハード・ディスク、フラッシュ・メモリ、又はこの分野で知られているような他の記憶媒体の中にあってもよい。
【００３３】
図４及び５の文脈において、本方法は、例えば、ワイアレス・プラットフォーム５０、アプリケーション・ダウンロード・サーバ１６、及び対話型スクリーン・サーバ３２のような、機械読み取り可能な命令のシーケンスを実行するワイアレス・ネットワーク１４の（複数の）オペレーション部分によって実行されてもよい。命令は、様々なタイプの信号伝送又はデータ記憶の一次、二次、又は三次媒体の中に常駐することができる。媒体は、例えば、ワイアレス・ネットワーク１４のコンポーネントによってアクセス可能な、又はその中に常駐するＲＡＭ（図示されず）を備えてよい。ＲＡＭ、ディスケット、又は他の二次的記憶媒体に含まれているかどうかに拘らず、命令は、種々の機械読み取り可能なデータ記憶媒体、例えば、ＤＡＳＤストレージ（例えば、従来の“ハード・ドライブ”又はＲＡＩＤアレイ）、磁気テープ、電子的リード・オンリー・メモリ（例えば、ＲＯＭ，ＥＯＲＯＭ，又はＥＥＰＲＯＭ）、フラッシュ・メモリ・カード、光学的記憶装置（例えば、ＣＤ−ＲＯＭ、ＷＯＲＭ、ＤＶＤ、ディジタル光学テープ）、紙パンチ・カード、又は、ディジタル及びアナログ送信媒体を含むその他の適切なデータ記憶媒体上に記憶されるものであってもよい。
【００３４】
これまでの開示は、本発明の例証となる実施形態を示すが、添付された特許請求の範囲によって規定されているような発明の範囲から逸脱しないで種々の変更及び修正がなされ得ることに注意すべきである。さらに、本発明のエレメントは、単数形で説明され又は請求されているものの、単数形に限るということが明示的に述べられているのでなければ、複数形が企図されている。
【符号の説明】
【００３５】
１０…システム，１２…セルラ電話機，１３，２１，２３…グラフィック画面，１６…アプリケーション・ダウンロード・サーバ，１８…パーソナル・ディジタル・アシスタンツ，１９…ＰＤＡスクリーン，２０…ページャ，２２，５０…コンピュータ・プラットフォーム，２４…有線コンポーネント，３２…対話型スクリーン。
【図１】
2015149736.tif 000003
【図２】
2015149736.tif 000004
【図３】
2015149736.tif 000005
【図４】
2015149736.tif 000006
【図５】
2015149736.tif 000007
【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
ワイアレス装置へデータをダウンロードするためにワイアレス・ネットワークを渡って送られた要求を受信すること；及び
ワイアレス装置に対して予定されたデータを送信することに先立って、ワイアレス装置に対して予定された対話型スクリーンを送信すること、を具備する、ワイアレス装置のための対話型スクリーンを処理するための方法。
【手続補正２】
【補正対象書類名】明細書
【補正対象項目名】００３４
【補正方法】変更
【補正の内容】
【００３４】
これまでの開示は、本発明の例証となる実施形態を示すが、添付された特許請求の範囲によって規定されているような発明の範囲から逸脱しないで種々の変更及び修正がなされ得ることに注意すべきである。さらに、本発明のエレメントは、単数形で説明され又は請求されているものの、単数形に限るということが明示的に述べられているのでなければ、複数形が企図されている。
以下に、本願出願の当初の特許請求の範囲に記載された発明を付記する。
［Ｃ１］  ワイアレス装置へデータをダウンロードするためにワイアレス・ネットワークを渡って送られた要求を受信すること；及び
ワイアレス装置に対して予定されたデータを送信することに先立って、ワイアレス装置に対して予定された対話型スクリーンを送信すること、を具備する、ワイアレス装置のための対話型スクリーンを処理するための方法。
［Ｃ２］  ワイアレス装置と対話型スクリーンの対話を指示している信号を受信すること；及び
ワイアレス装置によって要求されたダウンロードされたデータを送信すること、をさらに具備する、Ｃ１の方法。
［Ｃ３］  ワイアレス・ネットワークを渡って送信された要求を受信することは、第１のネットワーク・サーバによって受信される、Ｃ２の方法。
［Ｃ４］  対話型スクリーンを送信することは、第２のネットワーク・サーバにより実行される、Ｃ３の方法。
［Ｃ５］  ワイアレス装置の対話を指示している信号が第２のネットワーク・サーバにより受信されると、ここで、第２のネットワーク・サーバが第１のネットワーク・サーバへ対話を指示している信号を送ると、第１のネットワーク・サーバはワイアレス装置により要求されたダウンロードされたデータを送信する、Ｃ４の方法。
［Ｃ６］  ワイアレス・ネットワークと選択的に通信し、第２のネットワーク・サーバと選択的に通信する第１のネットワーク・サーバ；及び
ワイアレス・ネットワークと選択的に通信し、第１のネットワーク・サーバと選択的に通信する第２のネットワーク・サーバ、
ここで、第１のネットワーク・サーバは、ワイアレス装置からダウンロード・データに関する要求を受信し、第２のネットワーク・サーバへ要求を通信する、及び第２のネットワーク・サーバは、ワイアレス装置に対して予定されたワイアレス・ネットワークへ対話型スクリーンを送信する、を具備する、第１のネットワーク・サーバ及び第２のネットワーク・サーバを用いてワイアレス装置のための対話型スクリーンを処理するためのシステム。
［Ｃ７］  第２のネットワーク・サーバからワイアレス装置と対話を指示している信号を受信すると、第１のネットワーク・サーバは、ワイアレス装置に対して予定されたワイアレス・ネットワークへデータを送信する、Ｃ６のシステム。
［Ｃ８］  コンピュータ・プラットフォームを含むユーザ対話型ワイアレス装置のグラフィック画面上の対話型スクリーンを処理するための方法であって、ワイアレス装置はネットワーク・サーバと選択的に通信し、そこからアプリケーション及びデータをダウンロードする、その方法は、下記を具備する：
ワイアレス・ネットワークを渡ってネットワーク・サーバからワイアレス装置へデータを送信することを試みること；及び
ワイアレス装置へ要求されたデータをダウンロードすることに先立って、ワイアレス・ネットワークを渡ってワイアレス装置のコンピュータ・プラットフォームへ対話型スクリーンを送信すること。
［Ｃ９］  ワイアレス・ネットワークを渡ってネットワーク・サーバからワイアレス装置へデータを送信することを試みることは、ワイアレス・ネットワークを渡ってネットワーク・サーバからワイアレス装置へソフトウェア・アプリケーションをダウンロードすることを試みることを含む、Ｃ８の方法。
［Ｃ１０］  ワイアレス・ネットワークを渡ってワイアレス装置へ対話型スクリーンを送信することは、ワイアレス・ネットワークを渡ってワイアレス装置へネットワーク・サーバから対話型スクリーンを送信することを含む、Ｃ８の方法。
［Ｃ１１］  Ｃ８の方法であって、対話型スクリーンは、ワイアレス装置においてデータのユーザ入力を可能にし、
ネットワーク・サーバにおいてワイアレス装置から入力されたデータを受信すること；
ネットワーク・サーバにおいて入力データを処理すること；及び
ワイアレス装置のコンピュータ・プラットフォームに対して予定されたネットワーク・サーバから要求されたデータを選択的に送信すること、をさらに具備する。
［Ｃ１２］  ワイアレス・ネットワークを渡ってネットワーク・サーバからワイアレス装置へデータを送信することを試みることは、ワイアレス・ネットワークを渡って第１のネットワーク・サーバからワイアレス装置に対して予定されたデータを送信することを試みることを含む、及びワイアレス・ネットワークを渡ってワイアレス装置に対して予定された対話型スクリーンを送信することは、ワイアレス・ネットワークを渡って第２のネットワーク・サーバからワイアレス装置に対して予定された対話型スクリーンを送信することを含む、Ｃ８の方法。
［Ｃ１３］  第２のネットワーク・サーバへワイアレス装置から対話を指示している信号を受信すること；
第１のネットワーク・サーバへ第２のネットワーク・サーバからワイアレス装置において対話を指示している信号を送ること；及び
ワイアレス装置に対して予定されたワイアレス・ネットワークへ第１のネットワーク・サーバから要求されたデータを送信すること、をさらに具備する、Ｃ１２の方法。
［Ｃ１４］  ワイアレス・ネットワークを渡ってネットワーク・サーバからワイアレス装置へデータを送信することを試みるための手段；及び
ワイアレス装置へ要求されたデータをダウンロードすることに先立って、ワイアレス・ネットワークを渡ってワイアレス装置のコンピュータ・プラットフォームへ対話型スクリーンを送信するための手段、を具備する、対話型スクリーンを処理するためのシステム。
［Ｃ１５］  実行された場合に、対話型スクリーンを処理するためのコンピュータ読み取り可能な命令を含んでいるコンピュータ読み取り可能な媒体は、下記の方法を実行する：
ワイアレス・ネットワークを渡ってネットワーク・サーバからワイアレス装置へデータを送信することを試みること；及び
ワイアレス装置へ要求されたデータをダウンロードすることに先立って、ワイアレス・ネットワークを渡ってワイアレス装置のコンピュータ・プラットフォームへ対話型スクリーンを送信すること。
【外国語明細書】
2015149736000001.pdf